(57)【要約】【課題】地図画像の表示変更を適切に行う電子カメラを提供する。【解決手段】電子カメラ１０は、画像を表示する表示手段１１０、１１１と、撮影画像の撮影地点を示す表示を含む地図画像を表示するように表示手段１１０、１１１を制御する表示制御手段１０８と、撮影光学系Ｌの倍率を変更するためのズーム操作信号を発するズーム操作部材１１３とを備える。表示制御手段１０８は、地図画像を表示中に発せられるズーム操作信号に応じて、縮尺を変更した地図画像を表示手段１１０、１１１に表示させる。【選択図】図１
2008283345.tif 000002
【特許請求の範囲】
【請求項１】
画像を表示する表示手段と、
撮影画像の撮影地点を示す表示を含む地図画像を表示するように前記表示手段を制御する表示制御手段と、
撮影光学系の倍率を変更するためのズーム操作信号を発するズーム操作部材とを備え、
前記表示制御手段は、前記地図画像を表示中に発せられる前記ズーム操作信号に応じて、縮尺を変更した地図画像を前記表示手段に表示させることを特徴とする電子カメラ。
【請求項２】
請求項１に記載の電子カメラにおいて、
前記表示制御手段は、前記地図画像に代えて前記撮影画像を表示中に発せられる前記ズーム操作信号に応じて、表示サイズを変更した撮影画像を前記表示手段に表示させることを特徴とする電子カメラ。
【請求項３】
請求項１に記載の電子カメラにおいて、
前記表示制御手段は、前記地図画像とともに前記撮影画像を表示中に発せられる前記ズーム操作信号に応じて、表示倍率を変更した撮影画像を前記表示手段に表示させることを特徴とする電子カメラ。
【請求項４】
請求項１に記載の電子カメラにおいて、
前記表示制御手段は、前記地図画像に重ねて前記撮影画像を表示中に発せられる前記ズーム操作信号に応じて、表示倍率を変更した撮影画像を前記表示手段に表示させることを特徴とする電子カメラ。
【請求項５】
請求項１に記載の電子カメラにおいて、
前記表示制御手段は、前記撮影画像に重ねて前記地図画像を表示中に発せられる前記ズーム操作信号に応じて、縮尺を変更した地図画像を前記表示手段に表示させることを特徴とする電子カメラ。
【請求項６】
画像を表示する表示手段と、
撮影画像の撮影地点を示す表示を含む地図画像を表示するように前記表示手段を制御する表示制御手段と、
向きを示す操作信号を発する方向操作部材とを備え、
前記表示制御手段は、前記地図画像上にポインタ情報を表示させるとともに、前記ポインタ情報を表示中に発せられる前記方向操作部材からの操作信号に応じて当該ポインタ情報の表示位置を移動させることを特徴とする電子カメラ。
【請求項７】
請求項６に記載の電子カメラにおいて、
前記表示制御手段は、前記撮影画像を表示中に発せられる前記方向操作部材からの操作信号に応じて、前記表示中の撮影画像に代えて次コマまたは前コマの撮影画像を前記表示手段に表示させることを特徴とする電子カメラ。
【請求項８】
請求項７に記載の電子カメラにおいて、
前記表示制御手段は、全ての撮影画像を表示対象にすることを特徴とする電子カメラ。
【請求項９】
請求項７に記載の電子カメラにおいて、
前記表示制御手段は、撮影地点を示す情報が関連づけられている撮影画像のみを表示対象にすることを特徴とする電子カメラ。
【請求項１０】
請求項６に記載の電子カメラにおいて、
前記表示制御手段は、前記地図画像とともに複数コマの縮小した撮影画像を表示させ、当該表示中に発せられる前記方向操作部材からの操作信号に応じたコマの撮影画像を前記表示手段に選択表示させることを特徴とする電子カメラ。
【請求項１１】
請求項６に記載の電子カメラにおいて、
回転操作信号を発する回転操作部材をさらに備え、
前記表示制御手段は、前記ポインタ情報を表示中に発せられる前記回転操作部材からの操作信号に応じて当該ポインタ情報の表示位置を前記撮影地点ごとに直接移動させることを特徴とする電子カメラ。
【請求項１２】
請求項１１に記載の電子カメラにおいて、
前記表示制御手段は、前記地図画像上で左から右へ向かうように前記ポインタ情報の表示を移動させることを特徴とする電子カメラ。
【請求項１３】
請求項１１に記載の電子カメラにおいて、
前記表示制御手段は、前記撮影地点における画像の撮影順で前記ポインタ情報の表示を移動させることを特徴とする電子カメラ。
【請求項１４】
請求項１〜請求項１３のいずれか一項に記載の電子カメラにおいて、
前記表示制御手段は、再生モード時に前記地図画像を表示中に発せられるレリーズ操作信号に応じて撮影モード時の表示へ切替えることを特徴とする電子カメラ。
【請求項１５】
請求項１４に記載の電子カメラにおいて、
前記表示制御手段は、前記切替後に撮影処理が終了されると、前記再生モード時の前記地図画像の表示へ切替えることを特徴とする電子カメラ。
【発明の詳細な説明】
【技術分野】
【０００１】
本発明は、電子カメラに関する。
【背景技術】
【０００２】
ＧＰＳ衛星からの信号を受信して撮影位置を測定するカメラが知られている（特許文献１参照）。従来技術によれば、カメラは地図画像上に撮影地点と被写体位置とを表示する。地図の表示範囲は撮影地点および被写体位置を含むように自動的に決定される。
【０００３】
【特許文献１】特開２００６−１４８５１４号公報
【発明の開示】
【発明が解決しようとする課題】
【０００４】
表示している撮影画像に対して行う表示変更と同様に、表示している地図画像に対する表示変更が望まれていた。
【課題を解決するための手段】
【０００５】
（１）本発明による電子カメラは、画像を表示する表示手段と、撮影画像の撮影地点を示す表示を含む地図画像を表示するように表示手段を制御する表示制御手段と、撮影光学系の倍率を変更するためのズーム操作信号を発するズーム操作部材とを備え、表示制御手段は、地図画像を表示中に発せられるズーム操作信号に応じて、縮尺を変更した地図画像を表示手段に表示させることを特徴とする。
（２）請求項１に記載の電子カメラにおいて、表示制御手段は、地図画像に代えて撮影画像を表示中に発せられるズーム操作信号に応じて、表示サイズを変更した撮影画像を表示手段に表示させることもできる。
（３）請求項１に記載の電子カメラにおいて、表示制御手段は、地図画像とともに撮影画像を表示中に発せられるズーム操作信号に応じて、表示倍率を変更した撮影画像を表示手段に表示させることもできる。
（４）請求項１に記載の電子カメラにおいて、表示制御手段は、地図画像に重ねて撮影画像を表示中に発せられるズーム操作信号に応じて、表示倍率を変更した撮影画像を表示手段に表示させることもできる。
（５）請求項１に記載の電子カメラにおいて、表示制御手段は、撮影画像に重ねて地図画像を表示中に発せられるズーム操作信号に応じて、縮尺を変更した地図画像を表示手段に表示させることもできる。
（６）他の発明による電子カメラは、画像を表示する表示手段と、撮影画像の撮影地点を示す表示を含む地図画像を表示するように表示手段を制御する表示制御手段と、向きを示す操作信号を発する方向操作部材とを備え、表示制御手段は、地図画像上にポインタ情報を表示させるとともに、ポインタ情報を表示中に発せられる方向操作部材からの操作信号に応じて当該ポインタ情報の表示位置を移動させることを特徴とする。
（７）請求項６に記載の電子カメラにおいて、表示制御手段は、撮影画像を表示中に発せられる方向操作部材からの操作信号に応じて、表示中の撮影画像に代えて次コマまたは前コマの撮影画像を表示手段に表示させることもできる。
（８）請求項７に記載の電子カメラにおいて、表示制御手段は、全ての撮影画像を表示対象にすることが好ましい。
（９）請求項７に記載の電子カメラにおいて、表示制御手段は、撮影地点を示す情報が関連づけられている撮影画像のみを表示対象にすることが好ましい。
（１０）請求項６に記載の電子カメラにおいて、表示制御手段は、地図画像とともに複数コマの縮小した撮影画像を表示させ、当該表示中に発せられる方向操作部材からの操作信号に応じたコマの撮影画像を表示手段に選択表示させることもできる。
（１１）請求項６に記載の電子カメラはさらに、回転操作信号を発する回転操作部材を備えてもよい。この場合の表示制御手段は、ポインタ情報を表示中に発せられる回転操作部材からの操作信号に応じて当該ポインタ情報の表示位置を撮影地点ごとに直接移動させることもできる。
（１２）請求項１１に記載の電子カメラにおいて、表示制御手段は、地図画像上で左から右へ向かうようにポインタ情報の表示を移動させることもできる。
（１３）請求項１１に記載の電子カメラにおいて、表示制御手段は、撮影地点における画像の撮影順でポインタ情報の表示を移動させることもできる。
（１４）請求項１〜請求項１３のいずれか一項に記載の電子カメラにおいて、表示制御手段は、再生モード時に地図画像を表示中に発せられるレリーズ操作信号に応じて撮影モード時の表示へ切替えることもできる。
（１５）請求項１４に記載の電子カメラにおいて、表示制御手段は、切替後に撮影処理が終了されると、再生モード時の地図画像の表示へ切替えることもできる。
【発明の効果】
【０００６】
本発明による電子カメラでは、既存の操作部材を用いて地図画像の表示変更を適切に行える。
【発明を実施するための最良の形態】
【０００７】
以下、図面を参照して本発明を実施するための最良の形態について説明する。
（第一の実施形態）
図１は、本発明の第一の実施形態による電子カメラ１０の要部構成を説明するブロック図である。図１において、タイミングジェネレータ(TG)１０５は、メインＣＰＵ１０８から送出される指示に応じて、タイミング信号をドライバ１０４、ＡＦＥ(Analog Front End)回路１０２、Ａ／Ｄ変換回路１０３および画像処理回路１０６へ供給する。ドライバ１０４は、撮像素子１０１で必要とされる駆動信号を供給する。
【０００８】
撮影レンズＬは、撮像素子１０１の撮像面に被写体像を結像させる。撮像素子１０１は、画素に対応する複数の光電変換素子を備えたＣＣＤイメージセンサなどによって構成され、撮像面上に結像されている被写体像を撮像し、被写体像の明るさに応じた光電変換信号を出力する。撮像素子１０１の撮像面には、それぞれＲ（赤）、Ｇ（緑）およびＢ（青）のカラーフィルタが画素位置に対応するように設けられている。撮像素子１０１がカラーフィルタを通して被写体像を撮像するため、撮像素子１０１から出力される光電変換信号は、ＲＧＢ表色系の色情報を有する。
【０００９】
ＡＦＥ回路１０２は、撮像素子１０１から出力される光電変換信号に対するアナログ処理（ゲインコントロールなど）を行う。Ａ／Ｄ変換回路１０３は、アナログ処理後の撮像信号をディジタル信号に変換する。
【００１０】
メインＣＰＵ１０８は、各ブロックから出力される信号を入力して所定の演算を行い、演算結果に基づく制御信号を各ブロックへ出力する。画像処理回路１０６は、たとえばＡＳＩＣとして構成され、Ａ／Ｄ変換回路１０３から入力されるディジタル画像信号に対する画像処理を行う。画像処理には、たとえば、輪郭強調や色温度調整（ホワイトバランス調整）処理、画像信号に対するフォーマット変換処理が含まれる。
【００１１】
画像圧縮回路１０７は、画像処理回路１０６による処理後の画像信号に対して、JPEG方式で所定の圧縮比率の画像圧縮処理を行う。表示画像作成回路１１０は、撮像画像を液晶モニタ１１１に表示させるための表示データを作成する。液晶モニタ１１１は、表示画像作成回路１１０から入力される表示データによる再生画像を表示する。表示画像作成回路１１０は画像表示用データの他、メッセージやメニュー、マークなどを表示するためのデータの作成も行う。これにより、液晶モニタ１１１に画像以外の情報も表示される。
【００１２】
記録媒体１０Ａは、電子カメラ１０に対して着脱可能なメモリカードなどで構成される。記録媒体１０Ａには、メインＣＰＵ１０８からの指示によって撮影画像のデータ、およびその撮影情報を含む画像ファイルが記録される。記録媒体１０Ａにはさらに、メインＣＰＵ１０８からの指示によって地図データが記録される。記録媒体１０Ａに記録された画像ファイル、地図データは、それぞれメインＣＰＵ１０８からの指示によって読み出しが可能である。
【００１３】
バッファメモリ１０９は、画像処理前後および画像処理途中のデータを一時的に格納する他、記録媒体１０Ａへ記録する前の画像ファイルを格納したり、記録媒体１０Ａから読み出した画像ファイルを格納したり、地図データによる地図画像を生成したりするワークメモリとして使用される。
【００１４】
操作部材１１３は、電子カメラ１０のレリーズボタン、メニュースイッチ、ダイヤル、決定スイッチなどを含み、各スイッチ類の押下もしくは回転操作に対応する操作信号をメインＣＰＵ１０８へ出力する。レンズ駆動装置１１７は、メインＣＰＵ１８から送出される指示に応じて撮影レンズＬを構成するフォーカスレンズを光軸方向に進退駆動させることにより、撮影レンズＬによるフォーカス調節を行う。
【００１５】
無線インターフェイス１１６は、メインＣＰＵ１０８からの指示により外部機器との間で無線ＬＡＮ通信、赤外線通信、および光通信などのいずれかの通信方式によってデータを送受信する。外部インターフェイス１１２は、メインＣＰＵ１０８からの指示により外部機器（パーソナルコンピュータやクレードル等）との間で不図示のケーブルを介してデータを送受信する。
【００１６】
GPS装置１１４は、メインＣＰＵ１０８からの指示に応じてGPS衛星からの電波を受信し、受信信号をメインＣＰＵ１０８へ出力する。メインＣＰＵ１０８は、GPS装置１１４からの受信信号に基づいて所定の演算を行い、電子カメラ１０の測位情報（緯度、経度、高度）を検出する。
【００１７】
姿勢センサ１１５は、メインＣＰＵ１０８からの指示に応じて電子カメラ１０の姿勢を検出し、検出信号をメインＣＰＵ１０８へ出力する。メインＣＰＵ１０８は、姿勢検出信号に基づいて電子カメラ１０が構えられている向き、すなわち、縦位置か横位置かを判定する。
【００１８】
上記電子カメラ１０は、撮影時に撮像素子１０１で取得された画像信号に所定の画像処理および圧縮処理を施し、圧縮処理後の画像データに、測位情報、後述するマークの種類を示す情報、および当該撮影画像に関する情報などを含む付加情報を付加した画像ファイルを生成するように構成されている。具体的には、JPEG形式の画像データを画像データ部に格納し、付加情報を付加情報部に格納したＥｘｉｆ形式の画像ファイルを生成する。生成した画像ファイルは、記録媒体１０Ａ内に保存される。
【００１９】
本実施形態は、電子カメラ１０が画像ファイルを用いて液晶モニタ１１１に情報を表示する再生動作に特徴を有するので、以降の説明は液晶モニタ１１１表示を中心に説明する。
【００２０】
図２は、電子カメラ１０を液晶モニタ１１１（背面）側から見た図である。図２において、電子カメラ１０の背面に液晶モニタ１１１が配設され、液晶モニタ１１１の横にズームスイッチ１１３ｂ、メニュースイッチ１１３ｃ、その他操作スイッチ１１３ｄ、１１３ｅ、１１３ｇおよびダイヤル１１３ｆが設けられている。リング状に構成されたダイヤル１１３ｆは、回転操作に応じた回転操作信号と、押下操作に応じた押下位置信号とを発生する。決定スイッチ１１３ｇの配設位置はダイヤル１１３ｆの中央部である。また、電子カメラ１０の上面にはレリーズボタン１１３ａが配設される。
【００２１】
液晶モニタ１１１には地図画像が表示されている。電子カメラ１０は、たとえば、次の５項目のうち、メニュー設定によって指示されている項目に対応するエリアの地図を液晶モニタ１１１に表示する。
１．電子カメラ１０の現在地（GPS装置１１４からの受信信号に基づいて演算した位置）を含む地図
２．最後に（前回）液晶モニタ１１１に表示したエリアの地図
３．最後の（前回）撮影時に測位した（GPS装置１１４からの受信信号に基づいて演算した）位置を含む地図
４．あらかじめ定められているエリアの地図
５．操作部材１１３からの操作信号によって指示されるエリアの地図
【００２２】
地図画像表示に必要な地図情報は、無線インターフェイス１１６または外部インターフェイス１１２を介して外部機器から受信可能に構成されている。受信した地図のデータは、記録媒体１０Ａに記録することも可能である。
【００２３】
図２に例示した液晶モニタ１１１の表示画像には、地図画像に重ねてマーク２１〜マーク２６、ポインタ３１、およびコマ数表示３２がそれぞれ表示されている。マーク２１〜マーク２６は、各マークに対応する位置で撮影された画像が電子カメラ１０内に存在することを示す。具体的には、マーク２１〜マーク２６の表示位置に対応する測位情報を関連づけて保存された画像ファイルが記録媒体１０Ａ内に記録されている場合に、電子カメラ１０が測位情報で示される位置（撮影位置）にマークを表示する。
【００２４】
マークは、通常の丸印マークの他にレストランマーク２１やハートマーク２２など、形状や色が異なる複数種類の中から撮影位置ごとに選択されたマークが表示される。電子カメラ１０は、撮影画像に関連づけて記録媒体１０Ａ内に記録されているマークの種類を示す情報を読み出し、この読み出し情報が示す種類のマークを液晶モニタ１１１上の地図画像に重ねて表示させる。
【００２５】
マークの大きさは、当該マークに対応する位置で撮影された画像数に応じて変化するように表示制御される。電子カメラ１０は、たとえば、近接するマークが重なってしまう場合や、同位置で撮影された画像数が多い場合にはマークを大きく表示させる。
【００２６】
液晶モニタ１１１に表示する地図画像の表示範囲（すなわち、地図の縮尺率）は、ズームスイッチ１１３ｂからの操作信号に応じて変化する。電子カメラ１０は、ズームスイッチ１１３ｂがテレ側（Ｔ）に操作されると縮尺率を下げ（拡大表示）、ワイド側（Ｗ）に操作されると縮尺率を高める（縮小表示）ように表示制御する。
【００２７】
電子カメラ１０は、地図画像の縮尺率を下げたことによって近接するマークの重なりを解消できる場合に、拡大表示前に大きく表示していたマークを小さな複数のマークに分けて表示させる。
【００２８】
ポインタ３１は、液晶モニタ１１１の表示画面内を移動自在に表示制御される。電子カメラ１０は、ダイヤル１１３ｆからの押下位置信号に応じて、ポインタ３１を押下位置方向へなめらかに移動させる。たとえば、ダイヤル１１３ｆの右側が押下される場合、ポインタ３１を現表示位置より右方向へ移動させる。ダイヤル１１３ｆの右側が押下され続ける場合はポインタ３１をさらに右側へ移動させ、ポインタ３１が表示画面の右側へ到達した状態でダイヤル１１３ｆの右側がさらに押下される場合、表示する地図画像を左方向へスクロールさせる。これにより、地図画像の表示されていなかった右側部分が新たに液晶モニタ１１１に表示される。
【００２９】
電子カメラ１０は、ダイヤル１１３ｆの上側、左側、下側が押下される場合もそれぞれ同様に表示制御を行う。なお、ダイヤル１１３ｆの斜め上側、斜め下側が押下される場合には、それぞれの方向に地図画像がスクロールするように表示制御を行う。
【００３０】
電子カメラ１０はさらに、ダイヤル１１３ｆが回転操作された場合にもポインタ３１を移動させる。この場合のポインタ３１の移動は、液晶モニタ１１１に表示されているマーク間をジャンプするように直接移動する。電子カメラ１０は、たとえば、ダイヤル１１３ｆが右回りに回転操作される場合、ポインタ３１を現表示位置から最寄りのマーク上へ移動させる。ダイヤル１１３ｆがさらに右回りに回転操作される場合、ポインタ３１を現表示位置から右寄りのマーク上へ直接移動させる。反対に、ダイヤル１１３ｆが左回りに回転操作される場合、ポインタ３１を現表示位置から左寄りのマーク上へ直接移動させる。なお、メニュー設定操作に応じて、撮影地を示すマークに対応する画像の撮影順に、ポインタ３１を現表示位置から他のマークへ移動させるように構成してもよい。ダイヤル１１３ｆが右回りに回転操作される場合、後に撮影された画像の撮影地を示すマーク上へポインタ３１を移動させ、ダイヤル１１３ｆが左回りに回転操作される場合、先に撮影された画像の撮影地を示すマーク上へポインタ３１を移動させる。
【００３１】
電子カメラ１０は、ポインタ３１がマーク上に重ねられた状態で所定時間（たとえば０．５秒）が経過する場合、当該マークに対応する位置で撮影されたサムネイル画像を記録媒体１０Ａから読み出して液晶モニタ１１１に表示する。図３は、この場合の液晶モニタ１１１上の表示画像を例示する図である。図３において、マーク２３上にポインタ３１が重ねられ、マーク２３およびポインタ３１を隠さない位置にサムネイル画像および撮影日時が地図画像上に重ね表示される。
【００３２】
サムネイル画像４１を表示した状態で決定スイッチ１１３ｇが押下操作された場合、電子カメラ１０は、当該サムネイル画像４１の表示サイズを大きく伸ばして液晶モニタ１１１の表示範囲いっぱいに表示させる（全画面表示）。全画面表示中にズームスイッチ１１３ｂが押下操作された場合、電子カメラ１０は全画面表示前のサムネイル画像表示（図３）に戻す。
【００３３】
ポインタ３１が大きなマーク（同位置で撮影された画像数が多い）上に所定時間重ねられた場合、電子カメラ１０は当該マークに対応する位置で撮影された複数のサムネイル画像を記録媒体１０Ａからそれぞれ読み出して液晶モニタ１１１に表示する。図４は、この場合の液晶モニタ１１１上の表示画像を例示する図である。図４において、マーク２６上にポインタ３１が重ねられ、マーク２６およびポインタ３１を隠さない位置に複数のサムネイル画像４２〜４４および撮影日時が地図画像上に重ねてリスト表示される。
【００３４】
複数のサムネイル画像４２〜４４を表示した状態で決定スイッチ１１３ｇが押下操作された場合、電子カメラ１０は、たとえばサムネイル画像４２を選択し、他のサムネイル画像と異なる態様で表示する。異なる態様表示は、たとえば、撮影日時表示部の色を選択画像と非選択画像とで異ならせたり、選択サムネイル画像をカラー表示して非選択サムネイル画像をモノクロ表示したりする。
【００３５】
電子カメラ１０は、ダイヤル１１３ｆからの押下位置信号に応じて、複数のサムネイル画像中の選択位置を上下方向へなめらかに移動させる。たとえば、ダイヤル１１３ｆの下側が押下される場合、選択位置を下方向へ移動させる。ダイヤル１１３ｆの下側が押下され続ける場合は選択位置をさらに下側へ移動させ、選択位置が表示画面の下側（図４においてサムネイル画像４４）へ到達した状態でダイヤル１１３ｆの下側がさらに押下される場合、表示するサムネイル画像を上方向へスクロールさせる。これにより、表示されていなかったサムネイル画像が新たに液晶モニタ１１１に表示され、このサムネイル画像が選択される。
【００３６】
いずれかのサムネイル画像を選択している状態で決定スイッチ１１３ｇが押下操作された場合、電子カメラ１０は、当該サムネイル画像の表示サイズを大きく伸ばして液晶モニタ１１１の表示範囲いっぱいに表示させる（全画面表示）。全画面表示中にズームスイッチ１１３ｂが押下操作された場合、電子カメラ１０は全画面表示前のサムネイル画像表示に戻す。この場合、選択位置は維持される。
【００３７】
さらにズームスイッチ１１３ｂが押下操作された場合、電子カメラ１０はリスト表示しているサムネイル画像のいずれも非選択とし、図４のサムネイル画像表示に戻す。これによりダイヤル１１３ｆからの押下位置信号は、ポインタ３１の移動指示として扱われる。
【００３８】
＜再生モード処理＞
図５は、電子カメラ１０のメインＣＰＵ１０８が行う再生モード処理の流れを説明するフローチャートである。図５によるプログラムはメインＣＰＵ１０８内のメモリ（不図示）に格納されており、再生モードへの変更操作が電子カメラ１０に行われると起動する。再生モードへの変更操作は、たとえば操作部材１１３を構成するモード切替スイッチ１１３ｅによって行われる。
【００３９】
図５のステップＳ１１において、メインＣＰＵ１０８は地図情報を表示するか否かを判定する。メインＣＰＵ１０８は、メニュー設定によって地図情報表示が指示されている場合にステップＳ１１を肯定判定してステップＳ１２へ進み、メニュー設定によって地図情報表示が指示されていない場合にはステップＳ１１を否定判定してステップＳ２２へ進む。
【００４０】
ステップＳ１２において、メインＣＰＵ１０８は地図データがあるか否かを判定する。メインＣＰＵ１０８は、表示するエリアの地図データが記録媒体１０Ａに格納されている場合にステップＳ１２を肯定判定してステップＳ１４へ進む。この場合は地図画像表示に必要な地図情報を記録媒体１０Ａから読み出す。一方、メインＣＰＵ１０８は、表示するエリアの地図データが記録媒体１０Ａに存在しない場合にはステップＳ１２を否定判定し、ステップＳ１３へ進む。なお、地図を表示するエリアはメニュー設定によって指示されている。
【００４１】
ステップＳ１３において、メインＣＰＵ１０８は無線インターフェイス１１６または外部インターフェイス１１２へ指示を送り、地図画像表示に必要な地図情報を外部機器から受信させてステップＳ１４へ進む。
【００４２】
ステップＳ１４において、メインＣＰＵ１０８は表示画像作成回路１１０へ指示を送り、地図情報に基づいて所定範囲の地図画像を液晶モニタ１１１に表示させてステップＳ１５へ進む。ステップＳ１５において、メインＣＰＵ１０８は、液晶モニタ１１１上の表示範囲に対応する画像ファイルが記録媒体１０Ａに記録されているか否かを判定する。メインＣＰＵ１０８は、表示範囲内で撮影された画像が電子カメラ１０内に存在する場合にステップＳ１５を肯定判定してステップＳ１６へ進み、表示範囲内で撮影された画像が電子カメラ１０内に存在しない場合にはステップＳ１５を否定判定してステップＳ２０へ進む。
【００４３】
ステップＳ１６において、メインＣＰＵ１０８は、表示範囲内で撮影された画像ファイルの付加情報を記録媒体１０Ａから読み出してステップＳ１７へ進む。ステップＳ１７において、メインＣＰＵ１０８は、図２に例示したように地図画像上の対応位置にマークを表示させてステップＳ１８へ進む。メインＣＰＵ１０８は、ポインタおよびコマ数表示もそれぞれ表示させる。
【００４４】
ステップＳ１８において、メインＣＰＵ１０８は、マークにポインタが重ねられた場合には当該マークに対応するサムネイル画像を記録媒体１０Ａから読み出し、読み出したサムネイル画像を地図画像上に表示（図３）させてステップＳ１９へ進む。
【００４５】
ステップＳ１９において、メインＣＰＵ１０８は、サムネイル画像表示中に決定（OK）スイッチ１１３ｇが押下操作された場合には、当該サムネイル画像の表示サイズを大きく伸ばし、伸ばした画像を液晶モニタ１１１に全画面表示（図７）させてステップＳ２０へ進む。
【００４６】
ステップＳ２０において、メインＣＰＵ１０８はタイムアウトか否かを判定する。メインＣＰＵ１０８は、操作部材１１３から操作信号が入力されない状態が所定時間継続されるとステップＳ２０を肯定判定して図５による処理を終了する。一方、メインＣＰＵ１０８は、操作信号が入力されている、もしくは操作信号が入力されない状態が所定時間に満たない場合にはステップＳ２０を否定判定し、ステップＳ２１へ進む。
【００４７】
ステップＳ２１において、メインＣＰＵ１０８は、撮影モードへモード変更操作されたか否かを判定する。メインＣＰＵ１０８は、モード切替スイッチ１１３ｅからモード変更を指示する操作信号が入力された場合にステップＳ２１を肯定判定して図５による処理を終了する。メインＣＰＵ１０８は、モード切替スイッチ１１３ｅからモード変更を指示する操作信号が入力されない場合にはステップＳ２１を否定判定し、ステップＳ１１へ戻る。
【００４８】
ステップＳ１１を否定判定して進むステップＳ２２において、メインＣＰＵ１０８は、地図画像を表示しない通常の再生表示処理を行ってステップＳ２０へ進む。通常の再生表示では、ダイヤル１１３ｆからの押下操作信号によって指示されたコマの画像を液晶モニタ１１１の表示範囲いっぱいに表示させる（全画面表示）。たとえば、ダイヤル１１３ｆの右操作信号をコマ送りに、ダイヤル１１３ｆの左操作信号をコマ戻しにそれぞれ対応させる。また、１コマの画像を表示する上記全画面表示と、複数コマ（たとえば４コマ）のサムネイル画像を並べて表示する複数コマ表示とを切り換えることも可能に構成される。
【００４９】
ステップＳ１５を否定判定して進むステップＳ２３において、メインＣＰＵ１０８は表示画像作成回路１１０へ指示を送り、地図画像に重ねて以下のメッセージをオーバレイ表示させる。メインＣＰＵ１０８は、たとえば、「この地図範囲で撮影された画像はありません。」のメッセージを液晶モニタ１１１に表示させてステップＳ２０へ進む。
【００５０】
＜撮影モード処理＞
撮影モード処理の詳細について、図６のフローチャートを参照して説明する。図６によるプログラムはメインＣＰＵ１０８内のメモリ（不図示）に格納されており、撮影モードへの変更操作が電子カメラ１０に行われると起動する。撮影モードへの変更操作はモード切替スイッチ１１３ｅによって行われる。
【００５１】
図６のステップＳ５１において、メインＣＰＵ１０８は、撮像部を構成するブロック（撮像素子１０１やドライバ１０４など）へ通電を開始させてステップＳ５２へ進む。ステップＳ５２において、メインＣＰＵ１０８は、初期設定および測位を行ってステップＳ５３へ進む。初期設定はデフォルトの撮影モード、表示、画像処理などのための設定である。測位は、GPS装置１１４による受信信号に基づいて測位情報を取得する。
【００５２】
ステップＳ５３において、メインＣＰＵ１０８はレリーズボタン１１３ａが半押し操作されたか否かを判定する。メインＣＰＵ１０８は、半押し操作信号が入力されるとステップＳ５３を肯定判定してステップＳ５４へ進み、半押し操作信号が入力されていない場合にはステップＳ５３を否定判定し、ステップＳ６６へ進む。
【００５３】
ステップＳ５４において、メインＣＰＵ１０８は不図示の焦点検出装置およびレンズ駆動装置１１７へ指示を送り、レンズＬによる焦点調節状態の検出および焦点調節を行わせてステップＳ５５へ進む。ステップＳ５５において、メインＣＰＵ１０８は撮像素子１０１による撮像を開始させる（電荷蓄積を開始させる）。メインＣＰＵ１０８は、所定時間が経過すると撮像を終了させ、撮像素子１０１から蓄積電荷を掃き出させる。
【００５４】
ステップＳ５６において、メインＣＰＵ１０８は、撮像素子１０１からの画像信号を用いて露光演算を行い、ステップＳ５７へ進む。ステップＳ５７において、メインＣＰＵ１０８はレリーズボタン１１３ａが全押し操作されたか否かを判定する。メインＣＰＵ１０８は、全押し操作信号が入力されるとステップＳ５７を肯定判定してステップＳ５８へ進み、全押し操作信号が入力されていない場合にはステップＳ５７を否定判定し、ステップＳ６６へ進む。
【００５５】
ステップＳ５８において、メインＣＰＵ１０８は撮像素子１０１を初期化（不要電荷を掃き出させる）してステップＳ５９へ進む。ステップＳ５９において、メインＣＰＵ１０８は撮像素子１０１による本撮像を開始させる（電荷蓄積を開始させる）。メインＣＰＵ１０８は、ステップＳ５６において得られている制御露出に基づいてシャッタ（不図示）および絞り（不図示）を駆動制御し、制御シャッタ秒時が経過すると撮像を終了させるとともに、撮像素子１０１から蓄積電荷を掃き出させる。
【００５６】
ステップＳ６０において、メインＣＰＵ１０８は画像処理回路１０６へ指示を送り、撮像素子１０１からの画像信号に対して所定の画像処理を行わせてステップＳ６１へ進む。ステップＳ６１において、メインＣＰＵ１０８は表示画像作成回路１１０へ指示を送り、画像処理後のディジタル画像信号を用いて表示データを作成させてステップＳ６２へ進む。これにより、撮影画像が液晶モニタ１１１に再生表示される。
【００５７】
ステップＳ６２において、メインＣＰＵ１０８は表示画像作成回路１１０へ指示を送り、再生表示中の撮影画像に重ねて、以下のメッセージをオーバレイ表示させる。メインＣＰＵ１０８は、たとえば、「マーク編集しますか？」のメッセージを液晶モニタ１１１に所定時間表示させてステップＳ６３へ進む。
【００５８】
ステップＳ６３において、メインＣＰＵ１０８はマーク編集を指示された場合にステップＳ６３を肯定判定してステップＳ６４へ進み、マーク編集を指示されない場合にはステップＳ６３を否定判定してステップＳ６５へ進む。メインＣＰＵ１０８は、たとえば、上記メッセージ表示中に決定（OK）スイッチ１１３ｇが押下操作された場合にマーク編集指示されたと判定し、決定（OK）スイッチ１１３ｇが押下操作されない場合にはマーク編集指示されないと判定する。
【００５９】
ステップＳ６４において、メインＣＰＵ１０８はマーク選択処理を行う。具体的には、表示画像作成回路１１０へ指示を送り、あらかじめ登録されている複数のマークを並べたマークリストを撮影画像に重ねて表示させる。メインＣＰＵ１０８は、ダイヤル１１３ｆからの押下位置信号に応じて、マークリスト中の選択位置を上下方向へなめらかに移動させる。たとえば、ダイヤル１１３ｆの下側が押下される場合、選択位置を下方向へ移動させ、ダイヤル１１３ｆの上側が押下される場合は選択位置を上方向へ移動させる。決定スイッチ１１３ｇが押下操作された場合、その時点で選択しているマークを選択決定してステップＳ６５へ進む。ステップＳ６５へ進む場合はマークリスト表示を終了させる。
【００６０】
ステップＳ６５において、メインＣＰＵ１０８は、バッファメモリ１０９内の画像ファイルを記録媒体１０Ａに記録してステップＳ６６へ進む。画像ファイルには、測位情報およびマーク情報を含む付加情報が画像データとともに格納されている。なお、ステップＳ６３が否定判定された場合のマークは、メインＣＰＵ１０８によって通常の丸印マークが自動的に決定される。
【００６１】
ステップＳ６６において、メインＣＰＵ１０８はタイムアウトか否かを判定する。メインＣＰＵ１０８は、半押し操作信号が入力されない状態が所定時間継続されるとステップＳ６６を肯定判定し、撮像部を構成するブロックへの通電オフ処理を行って図６による処理を終了する。一方、メインＣＰＵ１０８は、半押し操作信号が入力されている、もしくは半押し操作信号が入力されない状態が所定時間に満たない場合にはステップＳ６６を否定判定し、ステップＳ６７へ進む。
【００６２】
ステップＳ６７において、メインＣＰＵ１０８は、モード変更操作されたか否かを判定する。メインＣＰＵ１０８は、モード切替スイッチ１１３ｅからモード変更を指示する操作信号が入力された場合にステップＳ６７を肯定判定して図６による処理を終了する。メインＣＰＵ１０８は、モード切替スイッチ１１３ｅからモード変更を指示する操作信号が入力されない場合にはステップＳ６７を否定判定し、ステップＳ５３へ戻る。
【００６３】
以上説明した実施形態によれば、次の作用効果が得られる。
（１）電子カメラ１０は、液晶モニタ１１１に表示する地図画像に重ねてマーク２１〜マーク２６をそれぞれ表示することにより、マーク２１〜マーク２６の表示位置に対応する撮影地点で撮影した画像、すなわち、撮影地点の測位情報を関連づけて保存した撮影画像のファイルが記録媒体１０Ａ内に記録されていることを示す。これにより、ユーザは、複数の撮影画像がある場合にも複数の撮影位置を共通の地図上で確認できる。
【００６４】
（２）電子カメラ１０は、液晶モニタ１１１に表示する地図画像に重ねてコマ数表示３２をさらに表示するので、ユーザは、マークの数をカウントしなくても表示している地図範囲で撮影した撮影画像数を確認できる。
【００６５】
（３）電子カメラ１０は、液晶モニタ１１１に表示する地図画像に重ねて移動自在のポインタ３１をさらに表示し、ポインタ３１がマーク２１〜マーク２６のいずれかに重なる場合、対応するサムネイル画像を表示するようにした。これにより、ユーザは、地図表示させながら簡単に撮影画像を確認できる。
【００６６】
（４）電子カメラ１０は、サムネイル画像を表示中に決定（OK）スイッチ１１３ｇが押下操作されると当該サムネイル画像を液晶モニタ１１１に全画面表示するようにしたので、ユーザは簡単にサムネイル画像の詳細を確認できる。
【００６７】
（５）電子カメラ１０は、通常の丸印マークの他にレストランマーク２１やハートマーク２２など、形状や色が異なる複数種類の中から撮影位置ごとに選択され、撮影画像に関連づけられているマークを表示する。これにより、ユーザは、地図画像上に表示されるマークの種類から、その撮影地点で撮影した画像を区別することができる。
【００６８】
（６）電子カメラ１０は、マークに対応する位置で撮影された画像数に応じてマークの大きさを変えるように表示制御するたので、ユーザは、地図画像上に表示されるマークの大きさから、その撮影地点で撮影した画像数の大小がわかる。
【００６９】
（７）ポインタ３１がマーク２１〜２６間を直接移動するように構成したので、ユーザは、地図表示させた状態で、素早く各マークに対応するサムネイル画像を確認できる。
【００７０】
（変形例１）
上述した説明では、近接するマークが重なる状況ではマークを大きく表示するようにした。重なるマークの種類が異なる場合には、一方のマークのみを表示させるようにしてもよい。この場合、あらかじめマーク間に優先順位を定めておき、両方のマークをそれぞれ単独で表示できない場合に、優先順位が高いマークを表示させる。
【００７１】
（変形例２）
液晶モニタ１１１上の表示範囲に対応する画像ファイルが記録媒体１０Ａに記録されていれば、記録されている画像の全てに対応するマークを地図上に表示させるようにした。この代わりに、あらかじめ表示することが許可されているマークのみを選択的に表示させるようにしてもよい。たとえば、レストランマークを表示させるなどの表示許可は、メニュー設定によってマークごとに設定可能に構成される。変形例２の構成とすることにより、ユーザが表示を希望するマークのみを表示させることができる。
【００７２】
（変形例３）
また、あらかじめ表示することが禁止されているマークのみを選択的に表示させないようにしてもよい。たとえば、ハートマークを表示させないなどの表示禁止は、メニュー設定によってマークごとに設定可能に構成される。変形例３の構成とすることにより、ユーザが表示を希望しないマークのみを表示させないようにできる。
【００７３】
（変形例４）
変形例２または変形例３の表示許可、表示禁止は、それぞれ定められた期間のみ表示許可または表示禁止をするようにしてもよい。たとえば、１ヶ月の表示許可が設定されたマークは、１ヶ月が経過するまで表示を行い、１ヶ月が経過後は表示しないように表示制御される。マークごとの期間の設定は、上記表示許可、表示禁止とともにメニュー設定によって行われる。
【００７４】
（変形例５）
マークの種類と別にお気に入り情報を登録するようにしてもよい。この場合のマーク情報には、マーク選択処理で選択されたマークを示す情報に加えて、お気に入り登録の有無を示すフラグが格納される。お気に入り登録はメニュー設定によって画像ファイルごとに設定可能にされる。メインＣＰＵ１０８は、お気に入り登録されているマークのみを選択的に表示させるようにメニュー設定された場合、マークの種類にかかわらず、お気に入り登録されているマークのみを選択的に地図上に表示させる。変形例５の構成とすることにより、ユーザが望むものだけを表示させることができる。
【００７５】
（変形例６）
ステップＳ６３（図６）が否定判定された場合にメインＣＰＵ１０８が自動的に決定する丸印マークは、マークの色、形などの態様を日にちごとに異ならせてもよい。これにより、マーク選択処理が行われない場合でも撮影日が異なる場合は異なる態様でマーク表示されるようになり、ユーザにとってわかりやすく表示できる。また、マークの態様を撮影した電子カメラ１０ごとに異ならせてもよい。たとえば、設定メニューによってあらかじめ登録されたマークを用いる。
【００７６】
（変形例７）
モード切替スイッチ１１３ｅからの操作信号によって撮影モードおよび再生モード間の切り換えを行う例を説明したが、再生モード中にレリーズボタン１１３ａが半押し操作された場合に撮影モードを起動させてもよい。この場合のメインＣＰＵ１０８は、レリーズボタン１１３ａによる半押し操作信号が入力されると再生モードを終了して撮影モードを起動させる。具体的には、図６のステップＳ５１へ進んで撮影モードの処理を行い、撮影モード処理を終了後は、再生モードを起動させる。なお、撮影モードへ移行してもレリーズボタン１１３ａが全押し操作されない場合はタイムアウト判定（ステップＳ６６を肯定）後に自動的に再生モードへ戻るのが好ましい。また、撮影モードへ移行後レリーズボタン１１３ａが全押し操作されて撮影処理を行った場合は、画像記録（ステップＳ６５）後に自動的に再生モードへ戻るのが好ましい。変形例７の構成とすることにより、地図画像を表示中にも素早く撮影準備を行うことが可能になる。
【００７７】
（変形例８）
ステップＳ１９（図５）において全画面表示（図７）を行っている場合、ダイヤル１１３ｆからの押下位置信号に応じて全画面表示中の画像のコマ送りまたはコマ戻しを行う構成にしてもよい。たとえば、ダイヤル１１３ｆの右操作信号をコマ送りに、左操作信号をコマ戻しに対応させる。メインＣＰＵ１０８はさらに、全画面表示中にズームスイッチ１１３ｂが押下操作された場合、この時点で全画面表示している画像を撮影した地点を表示する地図画像表示をさせる。
【００７８】
具体的には、メインＣＰＵ１０８が全画面表示している画像ファイルの付加情報を読み込み、当該画像が撮影された位置を示す測位情報およびマーク情報を取得する。メインＣＰＵ１０８は、表示画像作成回路１１０へ指示を送り、測位情報で示される位置（撮影位置）を含む所定範囲の地図画像を液晶モニタ１１１に表示させた上で、撮影位置を示すマーク表示を行わせる。変形例８の構成とすることにより、全画面表示するコマを選択してから、当該画像の撮影位置を含む図２の地図画像表示を行わせることができる。なお、他の撮影位置を示すマーク、ポインタおよびコマ数表示をそれぞれ表示させる点は、図２の場合と同様である。
【００７９】
（変形例９）
電子カメラ１０は、地図画像上でポインタ３１がマーク２１〜マーク２６のいずれかに重なる場合に対応するサムネイル画像を表示し、さらにサムネイル画像を表示中に決定（OK）スイッチ１１３ｇが押下操作されると当該サムネイル画像を液晶モニタ１１１に全画面表示するようにした。この代わりに、ポインタ３１がマーク２１〜マーク２６のいずれかに重なる時点で対応するサムネイル画像を全画面表示してもよい。ユーザは、簡単にサムネイル画像の詳細を確認できる。
【００８０】
（変形例１０）
姿勢センサ１１５による検出情報に応じて液晶モニタ１１１に表示させる地図画像の向きを変えてもよい。メインＣＰＵ１０８は表示画像作成回路１１０へ指示を送り、電子カメラ１０の姿勢（横位置または縦位置）に応じて液晶モニタ１１１に表示させる地図画像の向きを変える。変形例９の構成とすることにより、電子カメラ１０の向きにかかわらず、地図画像をユーザの見やすい向きで表示できる。
【００８１】
（変形例１１）
電子機器として電子カメラ１０を例に説明したが、カメラ付き携帯電話機、カメラ付きPDAであってもよい。
【００８２】
（第二の実施形態）
図７は、ステップＳ１９（図５）の処理において液晶モニタ１１１上に表示される画像を例示する図である。メインＣＰＵ１０８は、以下のように表示内容を切替えてもよい。再生画像を液晶モニタ１１１に全画面表示させているメインＣＰＵ１０８は、スイッチ１１３ｄが操作されると、図７に例示する全画面表示から図３に例示した地図画像上のサムネイル表示に戻す。
【００８３】
また、再生画像を液晶モニタ１１１に全画面表示させているメインＣＰＵ１０８は、ズームスイッチ１１３ｂが操作されると、全画面表示させている再生画像の表示倍率（電子ズーム倍率）をズーム操作信号に応じて変更する。図８は、ズームスイッチ１１３ｂがズームアップ方向（Ｔ側）に操作されてズームアップした再生画像（全画面表示）を例示する図である。メインＣＰＵ１０８は、図８に例示する再生画像を表示中にズームスイッチ１１３ｂがズームダウン方向（Ｗ側）に操作されると、再生画像の表示倍率（電子ズーム倍率）をズーム操作信号に応じてズームダウンさせる。
【００８４】
一方、再生画像を地図画像上にサムネイル表示（図３に例示したピクチャー・イン・ピクチャー表示）させているメインＣＰＵ１０８は、ズームスイッチ１１３ｂが操作されると、サムネイル表示させている再生画像の表示倍率（電子ズーム倍率）をズーム操作信号に応じて変更する。図９は、ズームスイッチ１１３ｂがズームアップ方向（Ｔ側）に操作されてズームアップされた再生画像（サムネイル表示）を例示する図である。メインＣＰＵ１０８は、図９の再生画像を表示中にズームスイッチ１１３ｂがズームダウン方向（Ｗ側）に操作されると、サムネイル画像の表示倍率（電子ズーム倍率）をズーム操作信号に応じてズームダウンさせる。
【００８５】
再生画像を地図画像上にサムネイル表示させているメインＣＰＵ１０８はさらに、スイッチ１１３ｄが操作されると、再生画像上に地図画像を縮小表示（図１０に例示するピクチャー・イン・ピクチャー表示）させる。つまり、再生画像と地図画像との大小関係を切替る。図１０に例示するピクチャー・イン・ピクチャー表示をさせているメインＣＰＵ１０８は、ズームスイッチ１１３ｂが操作されると、縮小表示させている地図画像の縮尺率をズーム操作信号に応じて変更する。
【００８６】
なお、ダイヤル１１３ｆからの押下位置信号に応じて表示中の再生画像のコマ送りまたはコマ戻しを行う点については、変形例８の場合と同様である。すなわち、ダイヤル１１３ｆの右操作信号をコマ送りに、左操作信号をコマ戻しに対応させる。コマ送りおよびコマ戻しの対象は、記録媒体１０Ａに記録されている全ての画像ファイルとする。ただし、メニュー設定操作に応じて、撮影地を示すマークが同種類である画像ファイルのみ、もしくは測位情報を有している画像ファイルのみを、コマ送りおよびコマ戻しの対象とするように構成してもよい。
【００８７】
以上説明した第二の実施形態によれば、再生画像を液晶モニタ１１１に全画面表示させている場合（図７）、および再生画像を地図画像上にサムネイル表示させている場合（図３）のそれぞれにおいて、再生画像の表示倍率（電子ズーム倍率）を変えて表示することができる。
【００８８】
また、ピクチャー・イン・ピクチャー表示時に重ね表示しているサムネイル画像の表示倍率（電子ズーム倍率）、または重ね表示している地図画像の縮尺率をズーム操作信号に応じて変更することができる。
【００８９】
さらにまた、スイッチ１１３ｄからの操作信号に応じて、地図画像上にサムネイル画像を表示させている状態と、再生画像上に地図画像を縮小表示させている状態とを切替るようにしたので、ユーザが詳しく見たい画像を大きく表示させることができる。
【００９０】
（第三の実施形態）  
変形例２、変形例３および変形例４に関してさらに詳細に説明する。図１１は、メニュースイッチ１１３ｃが操作された場合にメインＣＰＵ１０８が液晶モニタ１１に表示させる設定メニュー画面を例示する図である。メインＣＰＵ１０８は、ダイヤル１１３ｆからの回転操作信号に応じて選択項目を変更し、決定スイッチ１１３ｇが操作されると、その時点で選択している項目に関するメニュー画面を液晶モニタ１１１に表示させる。
【００９１】
＜撮影地マーク＞
撮影モード（図６）において選択決定された撮影地マークは、選択決定後もメニュー設定操作によって変更可能にされている。図１２は、撮影地を示すマークに関する設定操作を行うためのメニュー画面を例示する図である。メインＣＰＵ１０８は、図１２に例示した項目のうち「撮影地マークを選ぶ」項目を選択している状態で決定スイッチ１１３ｇが操作されると、図１３に例示するメニュー画面を液晶モニタ１１１に表示させる。本実施形態では、撮影地マークの形状や色を、その撮影地で撮影された画像ごとに選んだり、その撮影地マークを表示する地図上で選んだり、全ての画像を対象に共通の撮影地マークを選んだりすることが可能に構成される。
【００９２】
図１４は、撮影地マークの種類を画像ごとに選ぶ場合の操作画面を例示する図である。メインＣＰＵ１０８は、図１３に例示した項目のうち「画像ごとに選ぶ」項目を選択している状態で決定スイッチ１１３ｇが操作されると、図１４の操作画面を液晶モニタ１１１に表示させる。
【００９３】
図１４において、記録媒体１０Ａに記録されている画像ファイルのサムネイル画像４１Ａ〜４１Ｃが並べて液晶モニタ１１１に表示されている。メインＣＰＵ１０８は、ダイヤル１１３ｆからの回転操作信号に応じて、表示するサムネイル画像ならびに表示中のサムネイル画像の中から選択する画像を変更する。本例では画面の中央に他より大きなサイズで表示するサムネイル画像４１Ｂが選択画像である。メインＣＰＵ１０８は、ダイヤル１１３ｆからの回転操作信号に応じてサムネイル画像を左右にスクロールさせる。つまり、ダイヤル１１３ｆの回転操作信号がコマ送り、コマ戻しに対応する。撮影地マークを「画像ごとに選ぶ」場合のメインＣＰＵ１０８は、選択画像４１Ｂの撮影地を示すマークを選択対象とする。
【００９４】
メインＣＰＵ１０８はさらに、形状や色を異ならせた複数の撮影地マークリスト２７を上記サムネイル画像と別に表示させる。メインＣＰＵ１０８は、マークリスト２７の中から選択するマークをダイヤル１１３ｆから入力される上方向または下方向の操作信号に応じて変更し、決定スイッチ１１３ｇが操作されると、その時点で選択しているマークを上記選択画像４１Ｂの撮影地を示すマーク２７２とする。なお、撮影地マークを非表示とする「表示なし」もマークリスト２７に含む。決定（変更）した撮影地マーク２７２の情報は、選択画像４１Ｂの画像ファイルに格納されているマーク情報に記録される。
【００９５】
図１５は、撮影地マークの種類を地図上で選ぶ場合の操作画面を例示する図である。メインＣＰＵ１０８は、図１３に例示した項目のうち「地図上で選ぶ」項目を選択している状態で決定スイッチ１１３ｇが操作されると、図１５の操作画面を液晶モニタ１１１に表示させる。
【００９６】
図１５において、図２に例示した地図画像と同様の地図画像の上に撮影地マークが表示されている。これら撮影地マークは、記録媒体１０Ａに記録されている画像ファイルのうち、撮影地が表示中の地図範囲に含まれる画像の撮影地を示す。また、地図画像と別に、形状や色を異ならせた複数の撮影地マークリスト２７が表示されている。
【００９７】
メインＣＰＵ１０８は、ポインタ３１によって示される四角形２８を表示する。たとえば、スイッチ１１３ｄが押下された時点のポインタ３１の表示位置を１点とし、スイッチ１１３ｄの押下が解除された時点におけるポインタ３１の表示位置を他の１点とし、これら２点を対角とする四角形２８を表示する。撮影地マークを「地図上で選ぶ」場合のメインＣＰＵ１０８は、四角形２８内に含まれる撮影地を示すマークを選択対象とする。
【００９８】
メインＣＰＵ１０８は、マークリスト２７の中から選択するマークをダイヤル１１３ｆからの回転操作信号に応じて変更し、決定スイッチ１１３ｇが操作されると、その時点で選択しているマークを上記四角形２８内の撮影地を示すマークにする。撮影地マークを非表示とする「表示なし」をマークリスト２７に含む点、決定（変更）した撮影地マークの情報をそれぞれ対応する画像ファイルに格納されているマーク情報に記録する点は、「画像ごとに選ぶ」場合と同様である。
【００９９】
図１６は、撮影地マークの種類を全画像に対して共通に選ぶ場合の操作画面を例示する図である。メインＣＰＵ１０８は、図１３に例示した項目のうち「全画像共通に選ぶ」項目を選択している状態で決定スイッチ１１３ｇが操作されると、図１６の操作画面を液晶モニタ１１１に表示させる。
【０１００】
図１６において、形状や色を異ならせた複数の撮影地マークリスト２７が表示されている。メインＣＰＵ１０８は、マークリスト２７の中から選択するマークをダイヤル１１３ｆからの回転操作信号に応じて変更し、決定スイッチ１１３ｇが操作されると、その時点で選択しているマークを全画像ファイルに対する共通のマークにする。撮影地マークを「全画像共通に選ぶ」場合のメインＣＰＵ１０８は、記録媒体１０Ａに記録されている全ての画像ファイルの撮影地を示すマークを一括して選択対象とする。
【０１０１】
撮影地マークを非表示とする「表示なし」をマークリスト２７に含む点、決定（変更）した撮影地マークの情報をそれぞれ対応する画像ファイルに格納されているマーク情報に記録する点は、上述した場合と同様である。
【０１０２】
＜撮影地マークの表示切替＞
メインＣＰＵ１０８は、図１２に例示した項目のうち「表示切替」項目を選択している状態で決定スイッチ１１３ｇが操作されると、図１７に例示するメニュー画面を液晶モニタ１１１に表示させる。メインＣＰＵ１０８は、選択項目をダイヤル１１３ｆからの回転操作信号に応じて変更し、決定スイッチ１１３ｇが操作されると、その時点の選択内容に応じて撮影地マークの表示に必要な内部設定を行う。
【０１０３】
メインＣＰＵ１０８は上記内部設定に基づいて、「設定内容で表示する」場合は本実施形態において設定（変更）した撮影地マークを地図画像に重ねて表示する。この場合、「表示なし」が設定されている撮影地マークは表示しない。一方、「全撮影地マークを表示する」場合は本実施形態において設定（変更）した撮影地マークを地図画像に重ねて表示するとともに、「表示なし」が設定されている撮影地についてもデフォルトマーク（たとえば通常の丸印マーク）で表示する。
【０１０４】
＜撮影地マークの方向表示＞
メインＣＰＵ１０８は、図１２に例示した項目のうち「撮影方向表示」項目を選択している状態で決定スイッチ１１３ｇが操作されると、図１８に例示するメニュー画面を液晶モニタ１１１に表示させる。メインＣＰＵ１０８は、選択項目をダイヤル１１３ｆからの回転操作信号に応じて変更し、決定スイッチ１１３ｇが操作されると、その時点の選択内容に応じて撮影方向表示をするか否かの内部設定を行う。
【０１０５】
メインＣＰＵ１０８は上記内部設定に基づいて、撮影方向表示が「オン」の場合は本実施形態において設定（変更）した撮影地マークに代えて、方向性を有する形状のマークを地図画像に重ねて表示する。図１９は、方向性を有する撮影地マーク３３〜３７を表示した地図画像を例示する図である。撮影地マーク３３を例にとれば、ＣＧタワーにカメラを向けて撮影したことを示す。撮影方向表示が「オフ」の場合のメインＣＰＵ１０８は、本実施形態において設定（変更）した撮影地マークを地図画像に重ねて表示する。
【０１０６】
なお、撮影方向表示が「オン」の場合に方向性を有する撮影地マーク３３〜３７を表示するのは、地図画像の縮尺率が所定値より小さい場合に限るのが好ましい。縮尺率が大きい広域表示の場合は、被写体とする建造物などが地図の表示範囲に比べて小さすぎて地図上に表れないことが多く、撮影方向を示す利便性が低いからである。
【０１０７】
＜撮影地マーク設定の有効期間＞
メインＣＰＵ１０８は、図１２に例示した項目のうち「有効期間」項目を選択している状態で決定スイッチ１１３ｇが操作されると、図２０に例示するメニュー画面を液晶モニタ１１１に表示させる。メインＣＰＵ１０８は、選択項目をダイヤル１１３ｆからの回転操作信号に応じて変更し、決定スイッチ１１３ｇが操作されると、その時点の選択内容に応じて撮影地マーク設定の有効期間の内部設定を行う。
【０１０８】
メインＣＰＵ１０８は上記内部設定に基づいて、有効期間が「１日」の場合は本実施形態において設定（変更）した撮影地マークに関する設定内容の保持（不図示の不揮発性メモリで保存）期限を１日とする。保持期限の開始時は、有効期間を設定するために決定スイッチ１１３ｇが操作された時点、または撮影地マークに関して何らかの変更操作が行われた時点である。メインＣＰＵ１０８は、保持期限経過後は撮影地マークについて設定された内容を消去し、撮影地マークは全てデフォルトマーク（たとえば通常の丸印マーク）に変更する。
【０１０９】
メインＣＰＵ１０８は、有効期間が「１週間」または「１ヶ月」の場合は、それぞれ本実施形態において設定（変更）した内容の保持（不図示の不揮発性メモリで保存）期限を１週間または１ヶ月とする。保持期限の開始時が有効期間に関する設定操作時点または撮影地マークに関する変更操作時点である点は上記と同様である。
【０１１０】
メインＣＰＵ１０８は、有効期間が「無期限」の場合は、本実施形態において設定（変更）した撮影地マークに関する設定内容を無期限に保持（不図示の不揮発性メモリで保存）する。
【０１１１】
＜撮影地マーク設定の取消＞
メインＣＰＵ１０８は、図１２に例示した項目のうち「取消」項目を選択している状態で決定スイッチ１１３ｇが操作されると、図２１に例示するメニュー画面を液晶モニタ１１１に表示させる。メインＣＰＵ１０８は、選択項目をダイヤル１１３ｆからの回転操作信号に応じて変更し、決定スイッチ１１３ｇが操作されると、その時点の選択内容に応じて撮影地マークに関する設定内容を取消すか否かの内部設定を行う。
【０１１２】
メインＣＰＵ１０８は上記内部設定に基づいて、選択項目が「はい」の場合は本実施形態において設定（変更）した撮影地マークに関する設定内容を消去し、撮影地マークは全てデフォルトマーク（たとえば通常の丸印マーク）に変更する。一方、メインＣＰＵ１０８は、選択項目が「いいえ」の場合は本実施形態において設定（変更）した撮影地マークに関する設定内容の保持を継続する。
【０１１３】
＜グループ＞
電子カメラ１０は、地図画像上に表示される撮影地マークを用いて当該マークに対応する画像をグルーピングする。グルーピングした複数の画像は、印刷（プリント）やスライドショーなどの対象画像とする。図２２は、グループに関する設定操作を行うためのメニュー画面を例示する図である。メインＣＰＵ１０８は、図１１に例示した項目のうち「グループ」項目を選択している状態で決定スイッチ１１３ｇが操作されると、図２２に例示するメニュー画面を液晶モニタ１１１に表示させる。図２２において、外部のプリンタに画像をプリントさせる場合（プリント指定）、外部機器へ画像データファイルを送信する場合（送信指定）、液晶モニタ１１１に画像を順番に再生表示させる場合（スライドショー指定）、および画像データファイルを記録媒体１０Ａから消去しないようにプロテクトをかける場合（プロテクト指定）のそれぞれにおいて、対象画像をグルーピングすることが可能に構成される。
【０１１４】
＜プリント指定＞
図２３は、プリント指定する場合の操作画面を例示する図である。メインＣＰＵ１０８は、図２３に例示した項目のうち「地図上で選ぶ」項目を選択している状態で決定スイッチ１１３ｇが操作されると、図２４の操作画面を液晶モニタ１１１に表示させる。図２４は、対象画像を地図上で選ぶ場合の操作画面を例示する図である。
【０１１５】
図２４において、図１５に例示した操作画面と同様の地図画像上に撮影地マークが表示されている。これら撮影地マークは、記録媒体１０Ａに記録されている画像ファイルのうち、撮影地が表示中の地図範囲に含まれる画像の撮影地を示す。図１５と異なる点は、撮影地マークリスト２７を表示しない点である。対象画像を「地図上で選ぶ」場合のメインＣＰＵ１０８は、決定スイッチ１１３ｇが操作されると、その時点の四角形２８内の撮影地で撮影された画像をまとめてプリント対象とする。
【０１１６】
メインＣＰＵ１０８は、図２３に例示した項目のうち「画像ごとに選ぶ」項目を選択している状態で決定スイッチ１１３ｇが操作されると、図２５の操作画面を液晶モニタ１１１に表示させる。図２５において、図１４に例示した操作画面と同様に、記録媒体１０Ａに記録されている画像ファイルのサムネイル画像４１Ａ〜４１Ｃが並べて表示される。図１４と異なる点は、撮影地マークリスト２７を表示しない点である。
【０１１７】
対象画像を「画像ごとに選ぶ」場合のメインＣＰＵ１０８は、図１４の場合と同様に、ダイヤル１１３ｆからの回転操作信号に応じてサムネイル画像を左右にスクロールさせる。また、メインＣＰＵ１０８は、ダイヤル１１３ｆから入力される上方向または下方向の操作信号に応じて、選択画像（図２５の場合は中央のサムネイル画像４１Ｂ）に対してプリントマーク２７３を表示するか否かを切替る。プリントマーク２７３を表示する場合、そのサムネイル画像４１Ｂに対応する画像ファイルがプリント対象であることを示す。
【０１１８】
メインＣＰＵ１０８は、図２３に例示した項目のうち「対象マークを選ぶ」項目を選択している状態で決定スイッチ１１３ｇが操作されると、図２６の操作画面を液晶モニタ１１１に表示させる。図２６において、形状や色を異ならせた複数のマークリスト２９が表示されている。メインＣＰＵ１０８は、マークリスト２９の中から選択するマークをダイヤル１１３ｆからの回転操作信号に応じて変更する。メインＣＰＵ１０８はさらに、ダイヤル１１３ｆから入力される上方向または下方向の操作信号に応じて、選択マークに対してプリント「する」／「しない」を切替る。
【０１１９】
メインＣＰＵ１０８は、決定スイッチ１１３ｇが操作されると、その時点で「する」が設定されている全てのマークをプリント対象マークとする。この場合のメインＣＰＵ１０８は、プリント対象マークと同じ撮影地マークを有する画像ファイルのみをまとめてプリント対象とする。
【０１２０】
なお、「全プリント」は全ての画像ファイルに対して一括設定するための項目である。メインＣＰＵ１０８は、マークリスト２９の「全プリント」を選択した状態で「する」に切替られると、撮影地マークごとの設定内容にかかわらず、全ての画像ファイルをまとめてプリント対象とする。反対に、マークリスト２９の「全プリント」を選択した状態で「しない」に切替られると、撮影地マークごとの設定内容にかかわらず、全ての画像ファイルをプリント対象としない。
【０１２１】
以上説明したようにプリント対象が設定された状態でプリント指示されると、メインＣＰＵ１０８はプリント対象とされている画像ファイルを記録媒体１０Ａから順次読み出し、読み出したデータを外部プリンタ（不図示）へ送信する。
【０１２２】
図２２における「スライドショー指定」および「プロテクト指定」についても、以上説明した「プリント指定」と同様の操作画面、操作メニューを用いることにより、スライドショーの対象とする画像ファイル、およびプロテクト対象とする画像ファイルをそれぞれ設定できる。
【０１２３】
＜送信指定＞
図２７は、送信に関して設定する場合の操作メニューを例示する図である。メインＣＰＵ１０８は、図２２に例示した項目のうち「送信指定」項目を選択している状態で決定スイッチ１１３ｇが操作されると、図２７のメニュー画面を液晶モニタ１１１に表示させる。メインＣＰＵ１０８はさらに、選択項目をダイヤル１１３ｆからの回転操作信号に応じて変更し、決定スイッチ１１３ｇが操作されると、その時点の選択項目のメニュー画面を液晶モニタ１１１に表示させる。
【０１２４】
＜送信先に応じて制限＞
電子カメラ１０は、外部機器へ画像ファイルを送信する場合に、送信内容を制限することが可能である。図２８は、送信先に応じて制限する場合の設定操作を行うためのメニュー画面を例示する図である。メインＣＰＵ１０８は、図２７に例示した項目のうち「送信先で制限する」項目を選択している状態で決定スイッチ１１３ｇが操作されると、図２８に例示するメニュー画面を液晶モニタ１１１に表示させる。電子カメラ１０は、送信先に関するデータリスト（たとえば、宛先人のメールアドレスと、住所と、郵便番号とを含む）があらかじめ不図示の不揮発性メモリに格納されている。メインＣＰＵ１０８は、後述する設定内容が上記データリストにおける画像ファイルの送信先情報と合致する場合、送信内容を制限する。
【０１２５】
図２９は、メールアドレスを設定する場合の操作画面を例示する図である。メインＣＰＵ１０８は、図２８に例示した項目のうち「メールアドレスから」という項目を選択している状態で決定スイッチ１１３ｇが操作されると、図２９の操作画面を液晶モニタ１１１に表示させる。
【０１２６】
メインＣＰＵ１０８は、ダイヤル１１３ｆからの回転操作信号に応じて文字等を選択し、ダイヤル１１３ｆから入力される右方向または左方向の操作信号に応じて、カーソル位置（図２９において四角形で示す）を右または左へ移動させる。メインＣＰＵ１０８はさらに、決定スイッチ１１３ｇが操作されると、送信内容を制限するための送信先情報としてその時点で入力されているメールアドレスを不揮発性メモリ（不図示）に登録する。
【０１２７】
図３０は、郵便番号を設定する場合の操作画面を例示する図である。メインＣＰＵ１０８は、図２８に例示した項目のうち「郵便番号から」という項目を選択している状態で決定スイッチ１１３ｇが操作されると、図３０の操作画面を液晶モニタ１１１に表示させる。
【０１２８】
メインＣＰＵ１０８は、ダイヤル１１３ｆからの回転操作信号に応じて数字を選択し、ダイヤル１１３ｆから入力される右方向または左方向の操作信号に応じて、カーソル位置（図３０において四角形で示す）を右または左へ移動させる。メインＣＰＵ１０８はさらに、決定スイッチ１１３ｇが操作されると、送信内容を制限する送信先情報としてその時点で入力されている郵便番号を不揮発性メモリ（不図示）に登録する。
【０１２９】
図３１は、所在地名を設定する場合の操作画面を例示する図である。メインＣＰＵ１０８は、図２８に例示した項目のうち「所在地名から」という項目を選択している状態で決定スイッチ１１３ｇが操作されると、図３１の操作画面を液晶モニタ１１１に表示させる。
【０１３０】
メインＣＰＵ１０８は、ダイヤル１１３ｆから入力される上方向または下方向の操作信号に応じて都道府県名を表示させる。メインＣＰＵ１０８はさらに、決定スイッチ１１３ｇが操作されると、送信内容を制限する送信先情報としてその時点で表示されている都道府県名を不揮発性メモリ（不図示）に登録する。
【０１３１】
図３２は、制限内容の設定操作を行うためのメニュー画面を例示する図である。メインＣＰＵ１０８は、図２７に例示した項目のうち「制限内容」項目を選択している状態で決定スイッチ１１３ｇが操作されると、図３２に例示するメニュー画面を液晶モニタ１１１に表示させる。
【０１３２】
メインＣＰＵ１０８は、選択項目をダイヤル１１３ｆからの回転操作信号に応じて変更し、決定スイッチ１１３ｇが操作されると、その時点の選択内容に応じて制限内容の内部設定を行う。メインＣＰＵ１０８は上記内部設定に基づいて、「撮影地情報を含める」場合は上述した付加情報（測位情報およびマーク情報を含む）を有する画像ファイルの送信を許可する。一方、「撮影地情報を含めない」場合は上述した付加情報（測位情報およびマーク情報を含む）を有する画像ファイルの送信を許可しない。この場合、少なくとも測位情報を付加情報から削除した上で当該画像ファイルを送信するように送信内容を制限する。
【０１３３】
＜送信元に応じて制限＞
電子カメラ１０は、外部機器へ画像ファイルを送信する場合に、送信元に応じて送信内容を制限することも可能である。図３３は、送信元に応じて制限する場合の設定操作を行うためのメニュー画面を例示する図である。メインＣＰＵ１０８は、図２７に例示した項目のうち「送信元で制限する」項目を選択している状態で決定スイッチ１１３ｇが操作されると、図３３に例示するメニュー画面を液晶モニタ１１１に表示させる。
【０１３４】
メインＣＰＵ１０８は、後述する設定内容が現在の測位情報と合致する場合に送信内容を制限する。現在の測位情報は電子カメラ１０の現在地に対応する。メインＣＰＵ１０８は、図３３に例示した項目のうち「郵便番号から」という項目を選択している状態で決定スイッチ１１３ｇが操作されると、図３０と同様の操作画面を液晶モニタ１１１に表示させる。郵便番号の入力手順は図３０を参照して上述した通りである。
【０１３５】
メインＣＰＵ１０８は、送信内容を制限する送信元情報としてその時点で表示されている郵便番号を不揮発性メモリ（不図示）に登録する。メインＣＰＵ１０８は、電子カメラ１０の現在地が不揮発性メモリ（不図示）に登録した郵便番号が示すエリアに対応する場合は、上述した「制限内容」の設定内容（図３２）に基づいて、「撮影地情報を含める」または「撮影地情報を含めない」を決定する。
【０１３６】
メインＣＰＵ１０８は、図３３に例示した項目のうち「所在地名から」という項目を選択している状態で決定スイッチ１１３ｇが操作されると、図３１と同様の操作画面を液晶モニタ１１１に表示させる。都道府県名の入力手順は上述した通りである。
【０１３７】
メインＣＰＵ１０８は、送信内容を制限する送信元情報としてその時点で表示されている都道府県名を不揮発性メモリ（不図示）に登録する。メインＣＰＵ１０８は、電子カメラ１０の現在地が不揮発性メモリ（不図示）に登録した都道府県名に対応する場合は、上述した「制限内容」の設定内容（図３２）に基づいて、「撮影地情報を含める」または「撮影地情報を含めない」を決定する。
【０１３８】
＜送信内容に応じて制限＞
電子カメラ１０は、外部機器へ画像ファイルを送信する場合に、送信する画像ファイルの内容に応じて送信内容を制限することも可能である。図３４は、送信内容に応じて制限する場合の設定操作を行うためのメニュー画面を例示する図である。メインＣＰＵ１０８は、図２７に例示した項目のうち「送信内容で制限する」項目を選択している状態で決定スイッチ１１３ｇが操作されると、図３４に例示するメニュー画面を液晶モニタ１１１に表示させる。
【０１３９】
メインＣＰＵ１０８は、後述する設定内容が送信する画像ファイルの測位情報もしくは撮影時の撮影モード情報と合致する場合に送信内容を制限する。メインＣＰＵ１０８は、図３４に例示した項目のうち「撮影地情報から」という項目を選択している状態で決定スイッチ１１３ｇが操作されると、図３５に例示する操作画面を液晶モニタ１１１に表示させる。都道府県名を入力し、不揮発性メモリ（不図示）に登録する手順は図３１の場合と同様である。
【０１４０】
メインＣＰＵ１０８は、送信する画像ファイルの測位情報が不揮発性メモリ（不図示）に登録した都道府県名と合致する場合は、上述した「制限内容」の設定内容（図３２）に基づいて、送信内容に「撮影地情報を含める」または「撮影地情報を含めない」を決定する。
【０１４１】
メインＣＰＵ１０８は、図３４に例示した項目のうち「撮影モードから」という項目を選択している状態で決定スイッチ１１３ｇが操作されると、図３６に例示する操作画面を液晶モニタ１１１に表示させる。メインＣＰＵ１０８は、ダイヤル１１３ｆからの回転操作信号に応じて「ポートレートモード」または「風景モード」のいずれかを選択する。メインＣＰＵ１０８はさらに、ダイヤル１１３ｆから入力される上方向または下方向の操作信号に応じて、選択した撮影モードに対して「制限する」／「制限しない」をそれぞれ切替る。
【０１４２】
メインＣＰＵ１０８は、決定スイッチ１１３ｇが操作されると、その時点で「制限する」が指示されている撮影モードで撮影された画像ファイルを制限対象とする。一方、「制限しない」が指示されている撮影モードで撮影された画像ファイルを制限対象から除外する。メインＣＰＵ１０８は、送信する画像ファイルの撮影モードをチェックし、上記指示内容に基づいて、測位情報を含めたまま画像ファイルを送信するか、測位情報を除いて画像ファイルを送信するかを決定する。
【０１４３】
以上説明した実施形態によれば、次の作用効果が得られる。
（１）撮影モード（図６）において選択決定（ステップＳ６４）された撮影地マーク、あるいはステップＳ６３（図６）を否定判定した際に自動決定された撮影地マークを、後からメニュー操作によって変更可能にした。これにより、ユーザは撮影時に行う撮影地マーク選択操作を省き、撮影に専念できる。
【０１４４】
（２）撮影地マークを設定変更する場合、マークの種類を画像ごとに選ぶようにしたので（図１４）、ユーザが撮影画像を確認しながら撮影地マークを選ぶことができる。
（３）撮影地マークを設定変更する場合、マークの種類を地図上で選ぶようにしたので（図１５）、ユーザが地図上で撮影地点を確認しながら撮影地マークを選ぶことができる。
【０１４５】
（４）マークの種類を地図上で選ぶ際、枠２８を用いて指示した撮影地マークのみを対象に選択的に設定変更するようにしたので、複数の撮影地点についてまとめて設定変更したい場合に好適である。
（５）撮影地マークを地図上に表示しない「表示なし」を選択項目に含めたので、ユーザが撮影地の表示を望まない場合に好適である。
【０１４６】
（６）全画像に共通する撮影地マークを一括して選べるようにしたので（図１６）、全画像の撮影地を同種類のマークで表示したい場合に便利である。
（７）撮影地マークに関する設定変更内容の有効期間を選べるようにしたので、ユーザが期限つきで設定変更したい場合に好適である。
【０１４７】
（８）撮影地マークの表示切替を行うようにしたので、設定変更後の撮影地マークを表示（表示なしを含む）する状態と、全撮影地マークを表示する（表示なしが設定されている場合はデフォルトマークで表示）状態とを選べる。
【０１４８】
（９）方向性を有するマークで撮影地点を示す表示を可能にしたので、当該撮影地点における撮影方向も知らせることができる。
【０１４９】
（１０）表示している地図の縮尺率が所定値より小さい場合に方向性を有するマークで撮影地点を表示したので、被写体とする建造物などが地図上に表わされている状態で方向表示を行うことができる。
【０１５０】
（変形例１２）
マークの種類を地図上で選ぶ際、枠２８内に位置する撮影地マークのみを対象に選択的に設定変更することの他に、枠２８の外に位置する撮影地マークのみを対象に選択的に設定変更するようにしてもよい。また、枠２８内を選択対象とする／枠２８外を選択対象とするを切替可能に構成してもよい。
【０１５１】
（第四の実施形態）  
撮影モード（図６）において地図画像を表示するように構成してもよい。この場合の電子カメラ１０は、撮影モードを起動後、たとえばステップＳ６５およびステップＳ６６間において、電子カメラ１０の現在地（GPS装置１１４からの受信信号に基づいて演算した位置）を含む地図画像と、撮影地マーク（現在地に対応する）とを地図画像に重ねて液晶モニタ１１１にそれぞれ表示させる。この地図画像を表示するための地図情報は、作成日が最新の地図情報を無線インターフェイス１１６または外部インターフェイス１１２を介して外部機器から取得するのが好ましい。最新の地図情報を用いることにより、古い地図上に撮影値マークを表示することを防止できる。
【０１５２】
一方、再生モード（図５）において地図画像を表示する場合（ステップＳ１１を肯定判定）であって、撮影時に測位した位置（すなわち、記録媒体１０Ａに記録されている画像ファイルの撮影地）を含む地図画像を表示するための地図情報は、当該画像の撮影日直近で当該撮影日前に作成された地図情報を用いるのが好ましい。撮影当時の地図情報を用いることにより、年代が異なる地図上に撮影値マークを表示することを防止できる。なお、撮影当時の地図画像を表示するための地図情報が記録媒体１０Ａに記録されていない場合、無線インターフェイス１１６または外部インターフェイス１１２を介して外部機器から取得するのが好ましい。
【０１５３】
地図画像上に複数の撮影地マークを表示する場合において、複数の撮影地のそれぞれで撮影された画像の撮影日が異なる場合は、複数の画像の撮影日の中で最も遅い撮影日に近く、かつ当該撮影日前に作成された地図情報を用いるのが好ましい。
【０１５４】
さらに、地図画像上に複数の撮影地マークを表示する場合において、記録媒体１０Ａの所定フォルダ内に記録されている全ての画像の撮影地マークを液晶モニタ１１１の表示範囲に含むように地図情報の縮尺を決定し、決定した縮尺の地図情報を外部機器から取得するのが好ましい。これにより、表示する地図画像上に全ての画像の撮影地マークを表示させることができる。
【０１５５】
ただし、上述したように決定した縮尺が所定値以下の場合は、所定値より大の縮尺を有する地図情報を、複数個に分けて外部機器から取得するのが好ましい。この場合、複数の撮影地マークを複数個の地図画像上に分けて表示させることになる。一般に、縮尺が小さい広域の地図に撮影地マークを表示させるよりも、地図上の建物等が識別できる程度に縮尺を大きくした地図に撮影地マークを表示させる方が利便性が高い。建物等を特定できれば、ユーザにとって、当該撮影地で何を撮影したかを思い出しやすいからである。
【０１５６】
以上の説明はあくまで一例であり、上記の実施形態の構成に何ら限定されるものではない。説明に用いた第一の実施形態〜第四の実施形態および変形例１〜変形例１２は、それぞれを適宜組合わせて構成しても構わない。
【図面の簡単な説明】
【０１５７】
【図１】図１は、本発明の一実施形態による電子カメラの要部構成を説明するブロック図である。
【図２】電子カメラを背面側から見た図である。
【図３】液晶モニタ上の表示画像を例示する図である。
【図４】液晶モニタ上の表示画像を例示する図である。
【図５】メインＣＰＵが行う再生モード処理の流れを説明するフローチャートである。
【図６】メインＣＰＵが行う撮影モード処理の流れを説明するフローチャートである。
【図７】液晶モニタ上の表示画像（全画面表示）を例示する図である。
【図８】ズームアップした表示画像（全画面表示）を例示する図である。
【図９】ズームアップした表示画像（サムネイル表示）を例示する図である。
【図１０】再生画像上における地図画像の縮小表示を例示する図である。
【図１１】設定メニュー画面を例示する図である。
【図１２】メニュー画面を例示する図である。
【図１３】メニュー画面を例示する図である。
【図１４】操作画面を例示する図である。
【図１５】操作画面を例示する図である。
【図１６】操作画面を例示する図である。
【図１７】メニュー画面を例示する図である。
【図１８】メニュー画面を例示する図である。
【図１９】方向性を有する撮影地マークを表示した地図画像を例示する図である。
【図２０】メニュー画面を例示する図である。
【図２１】メニュー画面を例示する図である。
【図２２】メニュー画面を例示する図である。
【図２３】操作画面を例示する図である。
【図２４】操作画面を例示する図である。
【図２５】操作画面を例示する図である。
【図２６】操作画面を例示する図である。
【図２７】操作画面を例示する図である。
【図２８】メニュー画面を例示する図である。
【図２９】操作画面を例示する図である。
【図３０】操作画面を例示する図である。
【図３１】操作画面を例示する図である。
【図３２】メニュー画面を例示する図である。
【図３３】メニュー画面を例示する図である。
【図３４】メニュー画面を例示する図である。
【図３５】操作画面を例示する図である。
【図３６】操作画面を例示する図である。
【符号の説明】
【０１５８】
１０…電子カメラ
２１〜２６…マーク
３１…ポインタ
３２…コマ数表示
４１〜４４…サムネイル画像
１０Ａ…記録媒体
１０１…撮像素子
１０８…メインＣＰＵ
１０９…バッファメモリ
１１０…表示画像作成回路
１１１…液晶モニタ
１１３…操作部材
１１４…GPS装置
１１６…無線インターフェイス
【図１】
2008283345.tif 000003
【図２】
2008283345.tif 000004
【図３】
2008283345.tif 000005
【図４】
2008283345.tif 000006
【図５】
2008283345.tif 000007
【図６】
2008283345.tif 000008
【図７】
2008283345.tif 000009
【図８】
2008283345.tif 000010
【図９】
2008283345.tif 000011
【図１０】
2008283345.tif 000012
【図１１】
2008283345.tif 000013
【図１２】
2008283345.tif 000014
【図１３】
2008283345.tif 000015
【図１４】
2008283345.tif 000016
【図１５】
2008283345.tif 000017
【図１６】
2008283345.tif 000018
【図１７】
2008283345.tif 000019
【図１８】
2008283345.tif 000020
【図１９】
2008283345.tif 000021
【図２０】
2008283345.tif 000022
【図２１】
2008283345.tif 000023
【図２２】
2008283345.tif 000024
【図２３】
2008283345.tif 000025
【図２４】
2008283345.tif 000026
【図２５】
2008283345.tif 000027
【図２６】
2008283345.tif 000028
【図２７】
2008283345.tif 000029
【図２８】
2008283345.tif 000030
【図２９】
2008283345.tif 000031
【図３０】
2008283345.tif 000032
【図３１】
2008283345.tif 000033
【図３２】
2008283345.tif 000034
【図３３】
2008283345.tif 000035
【図３４】
2008283345.tif 000036
【図３５】
2008283345.tif 000037
【図３６】
2008283345.tif 000038